(57)【特許請求の範囲】
【請求項１】
パネル板と、そのパネル板を支持する支柱と、を有する衝立型間仕切りであって、
上記パネル板の板厚方向に開口した１又は２以上のネジ止め用の穴と、
上記支柱に形成され、支柱の軸方向に延びる１又は２以上の案内溝と、
上記案内溝に設けられ、当該案内溝に案内されて上記軸方向に移動可能な１又は２以上のナット部材と、
上記ネジ止め用の穴を介して上記ナット部材に螺合するネジと、
を備え、
上記案内溝は、当該案内溝で案内されるナット部材を、支柱の軸方向に沿って支柱の一端部から支柱の他端部まで案内可能な形状であって、ナット部材が案内方向に直交する方向に変位しても当該ナット部材が案内溝から抜けない構造とする左右一対の内向きフランジ部を有し、
上記ナット部材は、上記内向きフランジ部に接近・離隔可能な状態で上記案内溝に配置されると共に、上記内向きフランジ部に当接可能な部分がワッシャを構成する金属板からなり、
上記金属板には、上記左右一対の内向きフランジ部で形成される開口に嵌り込み可能な段差部が形成されている、
ことを特徴とする衝立型間仕切り。
【請求項２】
更に、上記案内溝は、支柱の軸方向端部に開口し、その開口に着脱可能に樹脂キャップが嵌め込まれ、その樹脂キャップによって、案内溝の軸方向端部からのナット部材の抜け落ちが防止されると共に、支柱の軸方向端部から案内溝に対しナット部材を出し入れすることで、案内溝に配置するナット部材の数を調整可能となっている、
ことを特徴とする請求項１に記載した衝立型間仕切り。
【請求項３】
上記案内溝は、上記支柱の周方向に沿って複数箇所に形成され、案内溝毎に上記ナット部材が１又は２以上設けられている、ことを特徴とする請求項１又は請求項２に記載した衝立型間仕切り。
【請求項４】
上記複数の案内溝は、周方向に沿って等間隔に形成されていることを特徴とする請求項３に記載した衝立型間仕切り。
【請求項５】
上記案内溝は、支柱の周方向に沿って３箇所又は４箇所形成されていることを特徴とする請求項３又は請求項４に記載した衝立型間仕切り。
【請求項６】
上記パネル板は、光透過性の樹脂材料から構成される、ことを特徴とする請求項１〜請求項５のいずれか１項に記載した衝立型間仕切り。
【請求項７】
上記パネル板は、左右両端部側にそれぞれ２以上の上記ネジ止め用の穴が開口していることを特徴とする請求項１〜請求項６のいずれか１項に記載した衝立型間仕切り。
【請求項８】
上記パネル板は、上記ネジ止め用の穴とは別に、左右方向途中位置にネジ止め用の第２の穴が開口していることを特徴とする請求項７に記載した衝立型間仕切り。
【請求項９】
複数の上記パネル板と複数の上記支柱を備え、
上記複数の支柱のうちの少なくとも１つの支柱に、複数のパネル板が上記ネジと上記ナット部材によってネジ止めされていることを特徴とする請求項６又は請求項７に記載した衝立型間仕切り。
【請求項１０】
一の支柱に対しネジ止めされている複数のパネル板は、それぞれ異なる案内溝に設けたナット部材によってネジ止めされている請求項９に記載した衝立型間仕切り。
【請求項１１】
２以上のパネル板と、そのパネル板を支持するための２以上の支柱と、複数のネジと、を有し、
上記パネル板には、板厚方向に開口した１又は２以上のネジ止め用の穴が設けられ、
上記支柱は、支柱の軸方向に延びる１又は２以上の案内溝と、上記案内溝に設けられ、当該案内溝に案内されて上記軸方向に移動可能な１又は２以上のナット部材と、を備え、
上記ネジの軸部は、上記ネジ止め用の穴を介して上記ナット部材に螺合可能であり、
上記案内溝は、当該案内溝で案内されるナット部材を、支柱の軸方向に沿って支柱の一端部から支柱の他端部まで案内可能な形状であって、ナット部材が案内方向に直交する方向に変位しても当該ナット部材が案内溝から抜けない構造とする左右一対の内向きフランジ部を有し、
上記ナット部材は、上記内向きフランジ部に接近・離隔可能な状態で上記案内溝に配置されると共に、上記内向きフランジ部に当接可能な部分がワッシャを構成する金属板からなり、
上記金属板には、上記左右一対の内向きフランジ部で形成される開口に嵌り込み可能な段差部が形成されている、
衝立型間仕切り用の構成物。
【発明の詳細な説明】
【技術分野】
【０００１】
本発明は、設置床面に設けられる衝立型間仕切りに関する。この衝立型間仕切りは、例えば、オフィスや店舗で使用され、飛沫防止パネルなどの置き型パーティションを構成する。
【背景技術】
【０００２】
衝立型間仕切りとしては、例えば特許文献１に記載の衝立パネルがある。
この衝立パネルは、両側の支柱と上下の横桟とで形成された枠体内に透過性を有するパネル板を装着した構造となっている。
【先行技術文献】
【特許文献】
【０００３】
【特許文献１】特開２００１−１１９８８号公報
【発明の概要】
【発明が解決しようとする課題】
【０００４】
ここで、オフィスや店舗に使用される飛沫防止パネルは、通常、設置床面とパネル板との間に上下方向の隙間を設けている。この隙間は、ＰＣの配線や充電コード用、書類の受渡し等のスペースとして利用される。
また、衝立型間仕切りを、飛沫防止用途として使用する場合、座高や椅子の種類などによって、パネル板の高さが変更できることが好ましい。
【０００５】
しかしながら、従来の衝立型間仕切りでは、パネル板の高さの可変が困難で、一度、備え付けると、全体高さや隙間の高さは一定となる。すなわち、従来にあっては、想定外の上記隙間が必要になった場合や、使用状況に応じたパネル板の高さ調整が簡易にできない。
また、飛沫防止パネルには、支柱（支持具）を交換することでパネル板の高さ調整が可能なものもあるが、高さは、支柱の高さに依存することから、高さ調整の自由度が低く、且つ、パネル板を完全に支柱から分離して高さ調整する必要があり、組立て後の運びが容易ではない。
【０００６】
本発明は、上記のような点に着目してなされたもので、簡易に組み立てられると共に、パネル板の高さ調整についての、自由度も操作も簡易な衝立型間仕切りを提供することを目的とする。
【課題を解決するための手段】
【０００７】
課題解決のために、本発明の実施形態の衝立型間仕切りは、パネル板と、そのパネル板を支持する支柱と、を有する衝立型間仕切りであって、上記パネル板の板厚方向に開口した１又は２以上のネジ止め用の穴と、上記支柱に形成され、支柱の軸方向に延びる１又は２以上の案内溝と、上記案内溝に設けられ、当該案内溝に案内されて上記軸方向に移動可能な１又は２以上のナット部材と、上記ネジ止め用の穴を介して上記ナット部材に螺合するネジと、を備える。
【０００８】
この衝立型間仕切りは、例えば、２以上のパネル板と、そのパネル板を支持するための２以上の支柱と、複数のネジと、を有し、上記パネル板には、板厚方向に開口した１又は２以上のネジ止め用の穴が設けられ、上記支柱は、支柱の軸方向に延びる１又は２以上の案内溝と、上記案内溝に設けられ、当該案内溝に案内されて上記軸方向に移動可能な１又は２以上のナット部材と、を備え、上記ネジの軸部は、上記ネジ止め用の穴を介して上記ナット部材に螺合可能である、衝立型間仕切り用の構成物を組み立てることで構成される。
【発明の効果】
【０００９】
本発明の態様によれば、パネル板は、支柱に対し、ネジ止めによって簡易に支持される。
また、ナット部材が支柱に沿ってスライド可能となっているので、例えば、ネジによる締結を少し緩めることで、支柱に対するパネル板の高さを自由に調整可能となる。
【図面の簡単な説明】
【００１０】
【図１】本発明に基づく実施形態に係るパネル板を示す正面図である。
【図２】本発明に基づく実施形態に係る支柱を示す斜視図である。
【図３】本発明に基づく実施形態に係るネジを示す斜視図である。
【図４】第２の穴を説明する正面図である。
【図５】案内溝の断面例を示す図である。
【図６】案内溝とナット部材の関係を示す断面図である。
【図７】組み立てた衝立型間仕切りの例を示す斜視図である。
【図８】側面板を支柱に組み付ける状態を説明する模式図である。
【図９】正面板を支柱に組み付ける状態を説明する模式図である。
【図１０】パネル板の高さ調整の例を説明する図である。
【図１１】組み立てた衝立型間仕切りのパターン例を示す平面的模式図である。
【図１２】組み立てた衝立型間仕切りのパターン例を示す平面的模式図である。
【図１３】組み立てた衝立型間仕切りのパターン例を示す平面的模式図である。
【図１４】一対の支柱間に２枚のパネル板を取り付けたパターン例を示す正面図である。
【発明を実施するための形態】
【００１１】
次に、本発明の実施形態について図面を参照して説明する。
本実施形態の衝立型間仕切りは、衝立型間仕切り用の構成物を組み立てることで構成される組立て体である。
【００１２】
「構成物」
衝立型間仕切り用の構成物は、図１〜図３に示すように、２以上のパネル板１と、そのパネル板１に支持するための２以上の支柱５と、複数のネジ１２と、を有する。
【００１３】
（パネル板１）
本実施形態のパネル板１は、図１に示すように、平面視矩形の板材である。パネル板１の形状は、矩形でなくても良い。
パネル板１は、光透過性であることが好ましい。パネル板１の材質としては、ガラス、ＰＥＴＧ、塩ビ、アクリル等の透明度の高い材質が例示できる。なお、これらの材質で作製したパネル板１の透明度（透過率）は、５０〜９８％程度となる。
パネル板１として、ＰＥＴＧを使用する場合、塩ビやアクリルに比べて柔軟性があるため、仮に落下等の衝撃が加えられても割れにくい。また、ＰＥＴＧは自己消化性を持つため火災などで他の材質に比べて燃えにくい。
パネル板１の厚みは、例えば２ｍｍ以上９ｍｍ以下とする。
【００１４】
＜ネジ止め用の穴２＞
パネル板１の左右両側にネジ止め用の穴２（以下、単純に「穴」とも記載する）が開口している。ネジ止め用の穴２や後述の第２の穴３は、スリット状などの長穴であっても良い。
図１に示す例では、ネジ止め用の穴２がパネル板１の左右両端部側にそれぞれ設けられ、左右方向の各端部にそれぞれ、２つネジ止め用の穴２が上下に離隔して設けられている。各端部に設ける穴２は、１個でも良いが、２以上設けた方が取付けの安定性が良い。
また、パネル板１に形成する穴としては、図４に示すように、パネル板１の左右方向途中位置（例えば中央位置）にも、ネジ止め用の第２の穴３を開口しておいてもよい。
【００１５】
（支柱５）
支柱５は、例えば断面が円形、三角形や矩形などの多角形形状等の形状となっている。本実施形態では、図２に示すように、断面正方形形状の場合を例に挙げて説明する。このとき、支柱５の周方向における一辺の寸法は、例えば２０〜２５ｍｍとする。
支柱５の材質は、パネル板１を支持可能な剛性を有すれば特に限定はないが、アルミ材や木材が例示できる。
【００１６】
＜案内溝６＞
支柱５には、軸方向に延びる１又は２以上の案内溝６を有する。案内溝６は、支柱５の周方向に沿って複数箇所に形成されていることが好ましい。この場合、案内溝６は、周方向に沿って等間隔に形成されていることが好ましい。また、同一軸線上に沿って２以上の案内溝６を形成しても良い。また、各面に２以上の案内溝６を形成しても良い。
本実施形態では、支柱５の各面（４面）にそれぞれ案内溝６が形成されている場合を例示している。
【００１７】
案内溝６は、案内溝６に配置したナット部材７が、案内溝６に沿って支柱５の軸方向にスライド（案内）可能な形状であって、ナット部材７が、上記案内方向に直交する方向に変位しても、案内溝６の開口部から抜けない構造となっている。
本実施形態の案内溝６の断面形状は、図５に示す断面図のように、溝の底面６ａから支柱５の表面に向かうにつれて左右の幅が広くなる斜面上の側面６ｂを有して、略台形形状となっている。これによって、ネジを雄ネジの穴１０に螺合させる際の安定性が良くなる。
【００１８】
ただし、案内溝６は、溝の開口部では、ナット部材７の表面の左右両側に対向する左右の内向きフランジ部９によって、開口部の幅Ｄが狭くなって、ナット部材７が抜けない、開口位置での溝幅となっている。すなわち、左右の内向きフランジ部９で構成される溝の開口の幅は、ナット部材７に設けた雌ネジのネジ穴１０の穴径及びネジ１２の軸部１２ｂの径よりも大きく、且つナット部材７の幅方向の寸法よりも小さくなっている。
また、ナット部材７の雌ネジの穴１０が、溝の開口を介して外部から見えるようになっている。
【００１９】
＜ナット部材７＞
ナット部材７は、案内溝６内に設けられ、当該案内溝６に案内されて支柱５の軸方向（溝の延在方向）に移動可能となっている。
なお、ナット部材７の本体が案内溝６の外側に配置されていても良い、案内溝６によって軸方向に案内可能に案内溝６に取り付けられていればよい。
ナット部材７は、パネル板１の上下で並ぶ穴２の数若しくはそれ以上、各案内溝６に設けることが好ましい。
【００２０】
本実施形態のナット部材７は、断面図である図６に示すように、案内溝６の断面に係合可能な形状、つまり、略台形形状の断面となっていて、案内溝６の底面６ａ及び側面６ｂと当接可能部分７Ａが樹脂材で構成される。また、内向きフランジ部９の内面に当接可能な部分には、アルミなどの金属板で構成され、該金属板がワッシャを構成する。
これによって、ナット部材７にネジ１２を安定して螺合可能となる。
【００２１】
また、ナット部材７の中央部に雌ネジが形成されたネジ穴１０が形成されている。ネジ穴１０は、ナット部材７の中央を厚さ方向に貫通するように形成され、該ネジ穴１０が案内溝６の開口を介して見えるようなっている、ネジ穴１０の軸は、支柱５の表面に対して直交するように構成することが好ましい。
また、上記金属板には、ネジ穴１０の両側が段差状に上方へ突出していて段差部７Ｂａが形成され、該段差部案内溝６が、案内溝６の開口に嵌り込み可能な形状となっている。
これによって、安定して締結可能となり、より締結後のパネル板１がずれにくくなる。
【００２２】
＜樹脂キャップ８（留め具）＞
支柱５の軸方向両端部には、樹脂キャップ８が着脱可能に嵌め込まれている。この樹脂キャップ８によって、案内溝６の支柱５の軸方向端部からナット部材７が抜け落ちることが防止されると共に、取扱い時の耐傷性を有する。
このキャップ８を一時的に外すことで、各案内溝６に配置するナット部材７の数を調整することが可能となる。例えば、複数条の案内溝６を形成していても、使用しない案内溝６からナット部材７を外しておいたりすることができる。
【００２３】
（ネジ１２）
ネジ１２は、図３に示すように、軸部１２ｂと頭部１２ａとから構成され、雌ネジを有する穴１０に螺合可能な、例えばＭ４〜７程度のトラス型ボルトビスからなる。
このネジ１２は、頭部１２ａがパネル板１の穴の径（長穴の場合には幅）よりも大きく、且つ軸部１２ｂが、パネル板１の穴の径よりも小さく、パネル板１を介してネジ穴１０に螺合可能な長さを有する。
【００２４】
「組み立て」
３枚のパネル板１と４本の支柱５を用いた衝立型間仕切りに組み立てる場合を例示する。
３枚のパネル板１は、図１、図７に示すように、幅方向の長さが大きい正面板１ａと左右２枚の側面板１ｂとからなる。
例えば、次の手順にて組み立てる。
先ず、図８のように、各側面板１ｂの一方に面側（互いに逆側でも良い）における、左右両側にそれぞれ支柱５をネジ止めする。
【００２５】
次に、図９のように、各側面板１ｂに取り付けた各一端側の支柱５における、側面を取り付けた面と直交する面に形成された案内溝６に設けたナット部材７を用いて、正面板１ａの左右両側を、穴を介してネジ止めする。
これによって、図７のような、平面視コ字形状の衝立型間仕切りに組み付けられる。
このとき、図１０のように、各案内溝６に設けたナット部材７の位置を適宜、支柱５の軸方向にスライドすることで、各パネル板１の組み付け高さ位置を自由に設定可能となる。
【００２６】
また、パネル板１を組み付けた後であっても、パネル板１の高さ位置を変更したい場合には、対応するネジ１２を緩めて、パネル板１の位置を調整した後に再度ネジ１２を締めるという簡単な操作で、パネル板１の高さ位置を調整可能となる。
なお、１つの衝立型間仕切りを構成する各パネル板１の高さを、同じ高さとする必要はなし、高さも異なっていても良い。
【００２７】
（組み立ての変形例）
組み立てた衝立型間仕切りのパターンの例を図１１〜図１４に示す。
図１１の例では、図４のように、左右の側面板１ｂの左右方向中央部に、ネジ止め用の第２の穴３を形成しておく。そして、３枚のパネル板１をＨの字状に組み付けるパターン例である。
図１２は、１つの支柱５に４つのパネル板１を取り付けて十の字状としたパターン例である。
図１３は、仕切りで区切られた空間が左右方向に複数連続して並ぶように、組み立てたパターンである。この例では、２種類の衝立型間仕切りの組立てパターンを、順番に組み合わせて配置することで、仕切りで区切られた空間が左右方向に複数並ぶように構成している。
【００２８】
図１４の例は、左右の支柱５に対し、上下に２枚のパネル板１を取り付けた例である。なお、支柱５の下端部に、平面視で、パネル板の厚さ方向に延びる足を付けて、支柱５を独立して立てるようにしても良い。
また、上記の説明では、一の支柱５に設けた隣り合う案内溝６の角度が９０度の場合を例示しているが、これに限定されない。例えば、断面円形の支柱５に対し、周方向に沿って１２０度間隔で３条の案内溝６を設けて、支柱５に支持されて隣り合うパネル板間の角度を、１２０度とするようにしても良い。
【００２９】
（作用その他）
本実施形態では、ナット部材７を支柱５に沿ってスライドさせることで、高い自由度で且つ簡易に、パネル板１の高さを調整可能となる。
これによって、パネル板１の下側の隙間を、通過させるケーブルや、電話や厚みがある書類などに応じて調整して設置可能となる。
【００３０】
また、パネル板１と支柱５は一体化しているので、組み立て後は持ち運びが可能である。
また、パネル板１同士は結合せず独立しているので、１面ずつ取り換えが可能である。
また、パネル板１の透過率が高いので視認性が確保できる。
なお、必要に応じて支柱５を横桟としてパネル板１に取り付けても良い。この場合、横桟用の穴を左右に向けて複数空けておけば対応可能である。
【００３１】
また、１面に対し上下２枚のパネルを使えば（図１４参照）、間にフックや小物置なども掛けることが可能となる。
この場合、横桟としての支柱でパネル板１の撓みの強制や補強をしたり、仕切りの転倒防止に繋げたりすることが可能である。
また、支柱５の各面の全てにパネル板１が取付け可能なので多様の組合せができる。例えば、パネル板１と支柱５の組合せで連続性が付与できる。また、長さ方向に調整が可能となるので長机やオフィスの机の並びにも対応可能となる。
【符号の説明】
【００３２】
１     パネル板
２     ネジ取付け用の穴
３     第２の穴
５     支柱
６     案内溝
７     ナット部材
８     樹脂キャップ
１０   ネジ穴
１２   ネジ
【要約】      （修正有）【課題】簡易に組み立てられると共に、パネル板の高さ調整についての、自由度も操作も簡易な衝立型間仕切りを提供する。【解決手段】衝立型間仕切りは、パネル板１と、そのパネル板１を支持する支柱５と、を有する衝立型間仕切りであって、パネル板１の板厚方向に開口した１又は２以上のネジ止め用の穴と、支柱５に形成され、支柱５の軸方向に延びる１又は２以上の案内溝と、案内溝に設けられ、案内溝に案内されて軸方向に移動可能な１又は２以上のナット部材７と、ネジ止め用の穴を介してナット部材７に螺合するネジ１２と、を備える。【選択図】図９【図１】
0006822600.tif 000002
【図２】
0006822600.tif 000003
【図３】
0006822600.tif 000004
【図４】
0006822600.tif 000005
【図５】
0006822600.tif 000006
【図６】
0006822600.tif 000007
【図７】
0006822600.tif 000008
【図８】
0006822600.tif 000009
【図９】
0006822600.tif 000010
【図１０】
0006822600.tif 000011
【図１１】
0006822600.tif 000012
【図１２】
0006822600.tif 000013
【図１３】
0006822600.tif 000014
【図１４】
0006822600.tif 000015